(57)【要約】【課題】トリガー操作式の内容物放出機構での放出口の保護作用などを確実化とともに、当該放出口に対するシール作用による内容物の固化防止化・垂れ現象発生防止化や、放出口を固定位置として利用者側の利便化をも図る。【解決手段】放出口８ｄおよびこれに通じる可撓性パイプ７を保護するカバー体４に、板バネ９の作用で静止モード位置に設定されたとき放出口８ｄを覆って保護し、シールするための上端側内面５ｄを持つトリガー操作部材５を回動可能に取り付けた。内容物放出操作の際、トリガー操作部材５を回動すると、先ず板バネ９がその弾性力に抗する形で変位して放出口８ｄを露出させ、その後、当該放出口の露出状態のままカム作用部５ｊが内向き凸状部９ｃに当接してステムジョイント６をステム３と共に下方に駆動し、内容物が放出口８ｄより放出される。【選択図】図３
2014037268.tif 000002
【特許請求の範囲】
【請求項１】
トリガー操作部材の内容物放出操作により容器本体側の内容物が放出口から外部空間域に放出されるトリガー操作式内容物放出機構において、
前記トリガー操作部材が回動可能な形で取り付けられて、前記放出口およびこれに通じる下流側内容物通路部を保護するカバー体と、
前記トリガー操作部材を静止モード位置に付勢する弾性部材と、
前記内容物放出操作に応じて下動する被駆動部と、を備え、
前記トリガー操作部材は、
前記弾性部材の作用で前記静止モード位置に設定されたとき前記放出口を覆って保護するための面部分を有し、
前記内容物放出操作の際、先ず前記弾性部材をその弾性力に抗する形で変位させて前記放出口を露出させ、その後、前記放出口の露出状態のまま前記被駆動部を駆動する、
ことを特徴とするトリガー操作式内容物放出機構。
【請求項２】
前記トリガー操作部材の前記面部分は、
その静止モード位置において前記放出口をシールする形状からなる、
ことを特徴とする請求項１記載のトリガー操作式内容物放出機構。
【請求項３】
前記弾性部材は、
前記トリガー操作部材と前記被駆動部との間に配設された板バネである、
ことを特徴とする請求項１または２記載のトリガー操作式内容物放出機構。
【請求項４】
前記内容物放出操作に基づいて作動する弁作用部要素、および上流側内容物通路部からなるステム部材を備え、
前記被駆動部は、
前記ステム部材の内容物流出側に接続されたステムジョイントである、
ことを特徴とする請求項１乃至３のいずれかに記載のトリガー操作式内容物放出機構。
【請求項５】
前記カバー体に取り付けられて前記放出口を有する放出作動部を備え、
前記下流側内容物通路部は、
前記被駆動部の内容物流出側と前記放出作動部の内容物流入側との間に設けられた可撓性パイプである、
ことを特徴とする請求項１乃至４のいずれかに記載のトリガー操作式内容物放出機構。
【請求項６】
請求項１乃至請求項５のいずれかに記載のトリガー操作式内容物放出機構を備え、かつ、容器本体に噴射用ガスおよび内容物を収納した、
ことを特徴とするエアゾール式製品。
【請求項７】
請求項１乃至請求項５のいずれかに記載のトリガー操作式内容物放出機構体を備え、かつ、容器本体に内容物を収納した、
ことを特徴とするポンプ式製品。
【発明の詳細な説明】
【技術分野】
【０００１】
本発明は、トリガー操作部材の内容物放出操作により容器本体側の内容物が放出口から外部空間域に放出されるトリガー操作式内容物放出機構に関する。
【０００２】
特に、静止モードのとき、トリガー操作部材で内容物の放出口を覆って保護し、さらには放出口自体をシールするようにしたトリガー操作式内容物放出機構に関する。
【０００３】
本明細書では、前後左右の位置関係について、操作面５ｂの側を「前」、それとは反対の例えば凸状部５ａの側を「後」とそれぞれ記す。
【０００４】
この前後方向と直交する方向を「左右」，「横」とする。例えば図１〜図５は前後方向の断面図であり、板バネ９の棒状連結部９ｄは左右方向に延びている、となる。また、上下方向を「縦」ともいう。
【背景技術】
【０００５】
本件出願人は、静止モードのとき、操作部材およびドーム状のカバー体で内容物放出口などを覆って保持し、作動モード設定操作にともなう操作部材の移動により内容物放出口などが露出して、ステムが作動モード位置へと下動し、また、内容物放出操作の解除にともない操作部材が弾性部材の作用により静止モード位置へ自動復帰する、すなわち内容物放出口などが覆われる形の内容物放出機構を提案している（特許文献１参照）。
【０００６】
この内容物放出機構操作部材では、ドーム状のカバー体に沿ってスライドする形の操作部材を用いている。
【先行技術文献】
【特許文献】
【０００７】
【特許文献１】国際公開第２０１１／１１１２４４号パンフレット
【発明の概要】
【発明が解決しようとする課題】
【０００８】
提案済みの内容物放出機構は、静止モードのとき、操作部材とこれを案内するカバー体とで内容物放出口を覆って保護し、操作部材を弾性力に抗しながらスライド操作することにより内容物放出口が露出し、かつ、スライド操作を解除すれば静止モードに自動復帰するという利点を備えたものである。
【０００９】
本発明では、このような利点を備えた内容物放出機構をトリガー操作部材タイプの場合にも具体的に適用して、静止モードにおける内容物の放出口をカバー体とともに覆い、これによりトリガー操作式の内容物放出機構での放出口の保護作用などの確実化を図ることを目的とする。
【００１０】
また、静止モード位置のトリガー操作部材で放出口に対するシール作用もおこない、これにより放出口近くの内容物通路部における残留内容物の固化防止化を図り、放出口からの内容物の垂れ現象の発生防止化を図ることを目的とする。
【００１１】
また、容器本体側に固定されたままのカバー体に内容物の放出口を設定し、かつ、この放出口と内容物放出操作に応じて下動するステム流出側との間に内容物通過用の可撓性パイプを配設し、これによりトリガー操作部材の位置に関わらず放出口が固定位置に保持されて利用者側の利便化を図ることを目的とする。
【課題を解決するための手段】
【００１２】
本発明は、以上の課題を次のトリガー操作式内容物放出機構を用いることにより解決する。
（１）トリガー操作部材（例えば後述のトリガー操作部材５）の内容物放出操作により容器本体（例えば後述の容器本体１）側の内容物が放出口（例えば後述の放出口８ｄ）から外部空間域に放出されるトリガー操作式内容物放出機構において、
前記トリガー操作部材が回動可能な形で取り付けられて、前記放出口およびこれに通じる下流側内容物通路部（例えば後述の可撓性パイプ７）を保護するカバー体（例えば後述のカバー体４）と、
前記トリガー操作部材を静止モード位置に付勢する弾性部材（例えば後述の板バネ９）と、
前記内容物放出操作に応じて下動する被駆動部（例えば後述のステムジョイント６）と、を備え、
前記トリガー操作部材は、
前記弾性部材の作用で前記静止モード位置に設定されたとき前記放出口を覆って保護するための面部分（例えば後述の上端側内面５ｄ）を有し、
前記内容物放出操作の際、先ず前記弾性部材をその弾性力に抗する形で変位させて前記放出口を露出させ、その後、前記放出口の露出状態のまま前記被駆動部を駆動する、
構成態様のものを用いる。
（２）上記（１）において、
前記トリガー操作部材の前記面部分は、
その静止モード位置において前記放出口をシールする形状からなる、
構成態様のものを用いる。
（３）上記（１），（２）において、
前記弾性部材は、
前記トリガー操作部材と前記被駆動部との間に配設された板バネである、
構成態様のものを用いる。
（４）上記（１），（２），（３）において、
前記内容物放出操作に基づいて作動する弁作用部要素（例えば後述の横孔部３ａ）、および上流側内容物通路部（例えば後述の内容物通路部３ｂ）からなるステム部材（例えば後述のステム３）を備え、
前記被駆動部は、
前記ステム部材の内容物流出側に接続されたステムジョイントである、
構成態様のものを用いる。
（５）上記（１），（２），（３），（４）において、
前記カバー体に取り付けられて前記放出口を有する放出作動部（例えば後述の放出作動部８）を備え、
前記下流側内容物通路部は、
前記被駆動部の内容物流出側と前記放出作動部の内容物流入側との間に設けられた可撓性パイプ（例えば後述の可撓性パイプ７）である、
構成態様のものを用いる。
【００１３】
このような構成からなるトリガー操作式内容物放出機構、ならびに当該トリガー操作式内容物放出機構を備えて後述のガス，内容物などを容器本体に収容したエアゾール式製品および当該トリガー操作式内容物放出機構を備えて後述の内容物などを容器本体に収容したポンプ式製品を本発明の対象としている。
【発明の効果】
【００１４】
本発明は以上の課題解決手段をとることにより、
(11)トリガー操作式の内容物放出機構での放出口の保護作用などの確実化を図ることができ、
(12)放出口近くの内容物通路部における残留内容物の固化防止化を図り、放出口からの内容物の垂れ現象の発生防止化を図ることができ、
(13)トリガー操作部材の位置に関わらず放出口が固定位置に保持されて利用者側の利便化を図ることができる。
【図面の簡単な説明】
【００１５】
【図１】トリガー操作部材５が後方に引かれていない静止モードでのトリガー操作式放出機構の縦断面（板バネ９の右手前側から当該板バネの方をみたときの縦断面）を示す説明図である。
【図２】図１に対応した縦断面であって、トリガー操作部材５が後方に引かれる作動モード設定操作の初期段階の、板バネ９が十分変形し、ステムジョイント６が当該トリガー操作部材のカム作用部５ｊにより下方へ押し下げられる直前を示す説明図である。
【図３】図２に対応した縦断面であって、作動モード設定操作の最終段階の、放出口８ｄが外部空間域に露出し、かつステム３が押し下げられた内容物放出状態を示す説明図である。
【図４】トリガー操作部材５が後方に引かれていない静止モードでのトリガー操作式放出機構の縦断面（面対称形状のトリガー操作式放出機構の対称中心面における縦断面）を示す説明図である。
【図５】図４に対応した縦断面であって、トリガー操作部材５が後方に引かれる作動モード設定操作の最終段階の、放出口８ｄが外部空間域に露出し、かつステム３が押し下げられた内容物放出状態を示す説明図である。
【図６】トリガー操作式放出機構を構成するカバー体４，トリガー操作部材５，ステムジョイント６，可撓性パイプ７および放出作動部８の連結関係を示す説明図である。
【発明を実施するための最良の形態】
【００１６】
図１乃至図６を用いて本発明を実施するための最良の形態を説明する。
【００１７】
上述したように本発明はエアゾール式製品およびポンプ式製品を対象としているが、以下の記載では、単なる説明の便宜上エアゾール式製品の場合を前提とする。
【００１８】
なお、以下のアルファベット付き参照番号の構成要素（例えば起立側面４ａ）は原則として、この参照番号数字部分の構成要素（例えばカバー体４）の一部であることを示している。
【００１９】
図１乃至図６において、
１は後述の内容物および噴射用ガスを収納した周知の容器本体，
２は容器本体１の開口端部側に取り付けられた周知のマウンティングキャップ，
２ａは当該マウンティングキャップの外側下端域に設定されて後述の突状部４ｇが強く係合する環凹状部，
３は周知のバルブ機構の構成要素であって後述のコイルスプリング１２の弾性力により上方向に付勢されるステム（ステム部材，被駆動部），
３ａはステム周面部に形成されて後述のステムガスケット１１とともに弁作用を呈する横孔部（弁作用部要素），
３ｂはステム内部に形成されて、横孔部３ａと連通する内容物通路部（上流側内容物通路部）
をそれぞれ示している。
【００２０】
また、
４は前方開口部を備え、マウンティングキャップ２の環凹状部２ａに強く係合して、後述のトリガー操作部材５とともに、後述のステムジョイント６から放出作動部８までの通路機構の前後左右および上の各部分を広く覆って、その保護作用を呈するカバー体，
４ａは当該カバー体を構成する左右一対の起立側面，
４ｂは起立側面４ａに形成されたトリガー操作部材係合用の左右一対の孔部，
４ｃは当該カバー体の天井面のステム真上部分に形成されて後述のステムジョイント６の上下動を案内する筒状垂下部，
４ｄは筒状垂下部４ｃの前側下部分に形成されて後述の可撓性パイプ７を案内する上下方向の前切欠状部，
４ｅは左右の起立側面４ａそれぞれの前側上部分（筒状垂下部４ｃよりも前方）に形成されて後述の放出作動部８を嵌合保持するための左右一対の上下方向切欠状部，
４ｆは静止モードにおいて後述のトリガー操作部材５の上端面５ｋと当接する当該カバー体の天井面縁部，
４ｇは当該カバー体下端側の円筒状部の下内周面周方向に複数形成されて環凹状部２ａに係合する突状部，
をそれぞれ示している。
【００２１】
また、
５は目庇付きの帽子形状（野球帽，船長帽など）からなり、カバー体４に回動可能な形で取り付けられたトリガー操作部材，
５ａは当該トリガー操作部材の対向する左右内面それぞれの後端側部分に形成されて、孔部４ｂと係合した状態で当該トリガー操作部材の回動中心として作用する左右一対の凸状部，
５ｂは当該トリガー操作部材の前側曲面部分であって利用者の内容物放出操作対象となる操作面，
５ｃは操作面５ｂの上側部分に形成された計三個の横方向凹状部，
５ｄは操作面５ｂの裏上端側部分であって、静止モード（図１，図４参照）のときに後述の放出作動部８の放出口８ｄをシールする形状からなる上端側内面（面部分），
５ｅは当該トリガー操作部材の対向する左右内面それぞれから内方に連続して前後方向に形成された、横方向断面が略Ｕ字状で左右一対のステム駆動用天井部，
５ｆはステム駆動用天井部５ｅの下面（底面），
５ｇはステム駆動用天井部５ｅに形成された左右一対の上下方向壁状部分，
５ｈは上下方向壁状部分５ｇの下端面の左右横方向に形成されて、後述の板バネ９を係合保持するための左右一対の下開口凹状部，
５ｊは上下方向壁状部分５ｇの一部であって、下開口凹状部５ｈの後方部分に下向き凸状部の態様で形成されたステム駆動用のカム作用部，
５ｋは静止モードにおいてカバー体４の天井面縁部４ｆと当接に近い状態で対向する上端面，
をそれぞれ示している。
【００２２】
また、
６はステム３の内容物流出側に取り付けられたステムジョイント（被駆動部），
６ａはステム３の流出側を嵌合保持する下筒状部，
６ｂは後述の可撓性パイプ７の流入側を嵌合保持する上筒状部，
６ｃは下筒状部６ａと上筒状部６ｂとの間に設定される筒状の内容物通路部，
６ｄは当該ステムジョイントの一部であって後述の板バネ９が載置される鍔状部， 
７はカバー体４の前切欠状部４ｄに案内保持されて、ステムジョイント６の上筒状部６ｂと後述の放出作動部８との間に取り付けられた内容物通過用の可撓性パイプ（下流側内容物通路部），
をそれぞれ示している。
【００２３】
また、
８はカバー体４に嵌合保持されて可撓性パイプ７からの流入内容物を外部空間域に噴射する放出作動部，
８ａは左右の起立側面４ａそれぞれの前側上部分の間に当該放出作動部を案内するため、その外周面に形成された方形状部，
８ｂは方形状部８ａの左右側面それぞれの下側部分に形成されて、カバー体４の上下方向切欠状部４ｅにその下方から入り込んで嵌合保持される左右一対の凸状部，
８ｃは可撓性パイプ７の流出側を嵌合保持する筒状部，
８ｄはトリガー操作部材５が当該放出作動部をカバーしたときに、その上端側内面５ｄでシールされる形状の放出口，
をそれぞれ示している。
【００２４】
また、
９は左右一対の略Ｕ字状の弾性作用部を備え、トリガー操作部材５のステム駆動用天井部５ｅとステムジョイント６の鍔状部６ｄとの間に配設されて当該トリガー操作部材を上方向に付勢するための板バネ（弾性部材），
９ａは左右一対でそれぞれ前後方向の略Ｕ字状の弾性作用部，
９ｂは弾性作用部９ａのそれぞれの連結部分としてのＣ字状基部，
９ｃはＣ字状基部の一部（仮想後端側）に形成されて、内容物放出操作のときに下動したトリガー操作部材５のカム作用部５ｊが当接する左右一対の内向き凸状部，
９ｄは弾性作用部９ａの上前端部分それぞれを連結して、トリガー操作部材５の下開口凹状部５ｈへ係合保持される棒状連結部，
をそれぞれ示している。
【００２５】
また、
１０はマウンティングキャップ２に取り付けられてステム３の下部分を収容するハウジング，
１１は外端側部分がマウンティングキャップ２とハウジング１０の上端面部分とに挟持されて、横孔部３ａとの協働により周知の弁作用を呈する環状のステムガスケット，
１２はハウジング１０の内部空間域に配設されてステム３を上方向に付勢するコイルスプリング，
をそれぞれ示している。
【００２６】
ここで、ステム３，カバー体４，トリガー操作部材５，ステムジョイント６，可撓性パイプ７，放出作動部８，板バネ９およびハウジング１０などは例えばポリプロピレン，ポリエチレン，ポリアセタール，ナイロン，ポリブチレンテレフタレートなどからなるプラスチック製のものである。
【００２７】
また、容器本体１やマウンティングキャップ２は金属製のものであり、ステムガスケット１１はゴム製のものであり、コイルスプリング１２は金属製，プラスチック製のものである。
【００２８】
なお、板バネ９の弾性力は、ステム３を上方向に付勢するコイルスプリング１２のそれよりも十分小さい。
【００２９】
この弾性力の違いにより、静止モードのトリガー操作部材５が後方に引かれるとき先ず板バネ９が変位し、当該板バネの変位終了後に当該コイルスプリングをその弾性力に抗する形で変位させながらステム３が作動モード位置へと駆動される。
【００３０】
トリガー操作式放出機構の組立て手順は例えば（図６参照）、
(21)放出動作部８の筒状部８ｃおよびステムジョイント６の上筒状部６ｂにそれぞれパイプ７の両端を差し込んで取り付ける、
(22)上記(21)で取付け後のパイプ７を前切欠状部４ｄの間を通ながら、ステムジョイント６の上筒状部６ｂをカバー体４の筒状垂下部４ｃに嵌合保持させ、放出動作部８の凸状部８ｂをカバー体４の切欠状部４ｅに取り付ける、
(23)トリガー操作部材５の凹状部５ｈに板バネ９の棒状連結部９ｄを取り付ける、
(24)上記(23)で取付け後のトリガー操作部材５の駆動用天井部５ｅおよび板バネ９を上記(22)で取付け後のカバー体４の前方開口部から差し込み、板バネ９の下面を鍔状部６ｄの上面に載置して、突状部５ａを孔部４ｂに取り付ける、
となる。
【００３１】
図示のトリガー操作式放出機構の基本的特徴は、
(31)静止モードのとき、放出作動部８の放出口８ｄが、カバー体４に取り付けたトリガー操作部材５で覆われて外部空間域に露出せず、
(32)トリガー操作部材５の後方への引き操作にともなう当該操作部材自体の図示矢印方向への移動により、放出作動部８の放出口８ｄが露出し、
(33)さらには、静止モード位置のトリガー操作部材５は放出口８ｄをシールした状態で覆う、すなわち放出口８ｄをシャットオフしている、
ことなどである。
【００３２】
図１，図４の静止モードにおいて、板バネ９（弾性作用部９ａ）の弾性力でトリガー操作部材５が図示上方向にいわば持ち上げられている。また、板バネ９は、その左右一対の弾性作用部９ａの後側部分がステムジョイント６の鍔状部６ｄからわずかだけ離間した状態で安定している。
【００３３】
すなわちトリガー操作部材５は、カバー体４の孔部４ｂと係合した凸状部５ａを中心に図示時計方向（図２などの矢印方向とは逆方向）へ回動した状態に設定されている。
【００３４】
この保持状態のトリガー操作部材５は、上述したようにその上端面５ｋの略全体がカバー体の天井面縁部４ｆに当接し、かつ、その上端側内面５ｄで当該カバー体の放出口８ｄをシール（シャットオフ）している。
【００３５】
静止モード位置のトリガー操作部材５は、その上端面（周縁部）５ｋの全体がカバー体４の天井面縁部４ｆに略当接し、当該カバー体の前開口域の略上側部分全体を覆っている。そのため放出作動部８，可撓性パイプ７などの内容物通路部分はカバー体４の前方や側方などの外部から見えない。
【００３６】
静止モードのとき、ステム３がコイルスプリング１２の作用で上方向に移動し、ステム３の横孔部３ａはステムガスケット１１で閉塞されている。そのため、容器本体１の内容物がステム３から可撓性パイプ７へと流入することは勿論生じない。
【００３７】
利用者が、図示のトリガー操作式内容物放出機構を作動モードに設定するには、トリガー操作部材５を後方向に引けばよい。
【００３８】
この後方向への引き操作にともない、図２に示すように、
トリガー操作部材５および板バネ９などは先ず、
(41)トリガー操作部材５がその凸状部５ａを中心に図示矢印方向に回動し、
(42)このトリガー操作部材５の回動にともない、棒状連結部９ｄで当該操作部材の下開口凹状部５ｈに係合保持されている板バネ９は、その弾性作用部９ａの各下側部分全体がステムジョイント６の鍔状部６ｄに当接し、かつ、当該弾性作用部それぞれの上前側部分が下方へと変位し、
(43)左右一対の弾性作用部の９ａ内側に配設されているトリガー操作部材５のカム作用部５ｊが板バネ９の内向き凸状部９ｃの上面部分に当接した、
中間状態に移行する。
【００３９】
この中間状態の段階では、まだステムジョイント６およびこれと一体のステム３が略静止モード位置のままである。
【００４０】
これは、コイルスプリング１２による上方向へのステム付勢力が板バネ９の弾性力よりも十分大きいからである。
【００４１】
当然のことながら、トリガー操作部材５を後方への引き操作は図２の状態で中断したり、終了したりするものでない。
【００４２】
トリガー操作部材５が図２の位置からさらに後方へ引かれることにより、図３および図５に示すように、
(51)トリガー操作部材５のカム作用部５ｊと当接している変位状態の板バネ９が押し下げられ、
(52)板バネ９を載置したステムジョイント６およびこれと一体のステム３も下方に押し下げられ、
(53)このステム３の下動にともない、それまでの横孔部３ａに対するステムガスケット１１の閉塞状態、すなわち弁作用部の閉状態が解除されて、
作動モードへと移行する。
【００４３】
弁作用部の閉状態が解除された作動モード（図５参照）では、容器本体内容物が、容器本体１に収容済みの噴射剤の作用により、
「容器本体１−ハウジング１０−ステム３の横孔部３ａ−ステム３の内容物通路部３ｂ−ステムジョイント６の内容物通路部６ｃ−可撓性パイプ７−放出作動部８の放出口８ｄ」の経路で外部空間域に放出される。
【００４４】
また、図２と同様に上前側部分が下方に変位した状態の板バネ９自体は、その左右一対の弾性作用部９ａの後側部分がステムジョイント６の鍔状部６ｄからわずかだけ離間した状態で安定している。この離間安定状態は静止モードと同じである。
【００４５】
利用者がトリガー操作部材５の後方への引き操作を解除すると、
(61)ステム３およびこれと一体のステムジョイント６，板バネ９などはコイルスプリング１２の弾性力により上方向へ駆動されて、弁作用部（横孔部３ａおよびステムガスケット１１）がそれまでの開状態から閉状態へと移行し、
(62)フリー状態となったトリガー操作部材５は板バネ９の弾性力により図示時計方向（矢印とは逆方向）へ回動して、当該操作部材の上端縁部分の全体がカバー体４の天面縁部分に当接する。
【００４６】
すなわち、図３，図５のトリガー操作式内容物放出機構は図１，図４の静止モード位置へ復帰する。
【００４７】
静止モードと作動モードとの間でステムジョイント６が筒状垂下部４ｃに案内されながら上下方向に移動するとき、当該ステムジョイントの上筒状部６ｂおよび放出作動部８の筒状部８ｃにそれぞれ嵌合保持された可撓性パイプ７の自由中間部分が変形する。
【００４８】
本発明が、図示の実施形態に限定されないことは勿論であって例えば、
(71)トリガー操作部材５の作動モード設定操作の際に、そのカム作用部５ｊがステムジョイント６の上面に当接してこれを下方に直接駆動する、
(72)トリガー操作部材５の左右方向凹状部５ｃを省略する、
(73)板バネ９に代えてコイルスプリングを用いる、
ようにしてもよい。
【００４９】
本発明が適用されるエアゾール式製品，ポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５５】
高分子化合物としては、メチルセルロース，ゼラチン，デンプン，カゼイン，ヒドロキシエチルセルロース，キサンタンガム，カルボキシビニルポリマーなどを用いる。
【００５６】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの殺虫剤・害虫忌避剤、酸化亜鉛などの制汗剤、ローズオイル、リナロールなどの香料、植物抽出物などの消臭剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５７】
さらに、上記内容物以外の、懸濁剤，紫外線吸収剤，乳化剤，保湿剤，酸化防止剤、金属イオン封鎖剤なども用いることができる。
【００５８】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５９】
１：エアゾール式製品の容器本体
２：マウンティングキャップ
２ａ：環凹状部
３：ステム
３ａ：横孔部（弁作用部）
３ｂ：内容物通路部
【００６０】
４：カバー体
４ａ：左右一対の起立側面
４ｂ：左右一対の孔部
４ｃ：筒状垂下部
４ｄ：前切欠状部
４ｅ：左右一対の上下方向切欠状部
４ｆ：天井面縁部
４ｇ：突状部
【００６１】
５：トリガー操作部材
５ａ：左右一対の凸状部
５ｂ：操作面
５ｃ：計三個の横方向凹状部
５ｄ：上端側内面
５ｅ：左右一対のステム駆動用天井部
５ｆ：下面（底面）
５ｇ：左右一対の下開口凹状部
５ｊ：ステム駆動用のカム作用部
５ｋ：上端面
【００６２】
６：ステムジョイント
６ａ：下筒状部
６ｂ：上筒状部
６ｃ：内容物通路部
６ｄ：鍔状部
７：内容物通過用の可撓性パイプ
【００６３】
８：放出作動部
８ａ：方形状部
８ｂ：左右一対の凸状部
８ｃ：筒状部
８ｄ：放出口
【００６４】
９：板バネ
９ａ：左右一対の略Ｕ字状の弾性作用部
９ｂ：Ｃ字状基部
９ｃ：左右一対の内向き凸状部
９ｄ：棒状連結部
【００６５】
１０：ハウジング
１１：環状のステムガスケット
１２：コイルスプリング
【図１】
2014037268.tif 000003
【図２】
2014037268.tif 000004
【図３】
2014037268.tif 000005
【図４】
2014037268.tif 000006
【図５】
2014037268.tif 000007
【図６】
2014037268.tif 000008